(57)【要約】      （修正有）【課題】災害時に停電が発生し真っ暗闇の状況であっても、携帯電話によるアシストデータのダウンロードに依存することなく、正確かつ迅速に避難所や自宅等の目的地までの経路を表示することができ、また、移動の途中において正確な災害情報の入手が可能である避難路誘導器を提供する。【解決手段】電源部を有する器体にＬＥＤ又は電球を有する発光部とナビゲーション部とラジオ部を設けると共に、器体の上部外周面に目的地へ誘導案内する表示部を配設して避難路誘導器を構成する。【選択図】図１
0003173691.tif 000002
【実用新案登録請求の範囲】
【請求項１】
電源部を内蔵したケース形状の器体にＬＥＤ又は電球を有する発光部とナビゲーション部とラジオ部を設けると共に、前記器体の上部外周面に避難所や自宅の目的地への避難路を誘導案内するための表示部を配設したことを特徴とする避難路誘導器。
【請求項２】
前記電源部は一次電池、又は二次電池と該二次電池に充電するための手回し発電機と太陽電池アレイからなる請求項１に記載の避難路誘導器。
【請求項３】
前記ナビゲーション部は、ＧＰＳ部で算出した現在位置及びデータメモリ部に記憶されている地図情報にのみ基づき、外部から情報を得ることなく目的地までの経路を算出する請求項１又は請求項２に記載の避難路誘導器。
【請求項４】
前記ラジオ部は、振幅変調及び周波数変調によるラジオ放送を受信可能であり、セレクタによりどちらを受信するかの選択が行える請求項１乃至３のいずれかに記載の避難路誘導器。
【請求項５】
前記表示部は、バックライトを備えた液晶表示装置である請求項１乃至４のいずれかに記載の避難路誘導器。
【請求項６】
前記器体の外部に携帯電話機を着脱自在に付設した請求項１乃至５のいずれかに記載の避難路誘導器。
【考案の詳細な説明】
【技術分野】
【０００１】
本考案は、災害時に避難するにあたり自宅や避難所などの避難先への経路を表示する機能を備えて安全を確保した避難路誘導器に関する。
【背景技術】
【０００２】
災害発生時には迅速に安全な場所に避難し、身体の安全を確保することが最も重要であり、このことは平成２３年３月に発生した東日本大震災においても再確認にされている。また、大震災が発生した際には、みだりに帰宅等することなく、安全が確保できるまでの間、職場、学校等に留まることが政府及び自治体により推奨されているが、公共交通機関が運航を停止し、かつ自家用車が利用できない状況下であっても、徒歩により速やかに職場へ出勤したり、外出先から帰宅したりしなければならない事情もある。
【０００３】
東日本大震災のような大規模災害が発生した場合には、ほぼ例外なく広域停電が発生する。災害が昼間に発生した場合には、停電の発生は徒歩による避難活動や止むを得ざる移動に際してあまり大きく影響しないが、災害が夜間に発生した場合には、停電の発生により周囲は真っ暗闇となり、例え徒歩によるものであっても避難活動や止むを得ざる移動は非常に困難なものとなる。
【０００４】
夜間における災害の発生に対処するため、従来から家庭や職場等の施設には懐中電灯が常備されている。また、単に周囲を照らす機能のみではなく、災害時に有効な様々な機能が付加された懐中電灯も提案されている。
【０００５】
また、近年の携帯電話技術の進歩発展に伴い、ＧＰＳ（Global Positioning System：全地球的測位システム）受信機を備えた携帯電話機では、インターネット上のサーバーから地図データをダウンロードして、目的地までの経路を前記地図データに表示することも行われているので、災害における避難時等にこのシステムを使用することも考えられる。
【０００６】
特許文献１には、サーチライトとしての電球式照明装置及び周囲を照らすランタン装置よりなる照明装置と、放送を受信できる受信機とを有する携帯用照明装置が開示されている。
【０００７】
特許文献２には、暗闇の中において視覚を確保するための懐中電灯に、他の人々に対する注意喚起や自分の居場所を知らせるための警報機能と、他の人々に情報を伝達し誘導したり、自分の状況を伝達したりするための拡声機能とを組み込んだ多機能懐中電灯が開示されている。
【０００８】
また、特許文献３には、災害時における携帯電話機のＧＰＳ機能を使用した避難誘導案内に関し、長い時間有効に使用可能な避難誘導システム及び避難誘導方法が開示されている。
【先行技術文献】
【特許文献】
【０００９】
【特許文献１】実用新案登録第３０１９７４７号公報
【特許文献２】実用新案登録第３１０７９１８号公報
【特許文献３】特開２００８-１９２０６７号公報
【考案の概要】
【考案が解決しようとする課題】
【００１０】
しかしながら、特許文献１に記載された携帯用照明装置は、照明可能な範囲が狭いため、足元を照らして安全に歩行することはできるが、暗闇の中で周囲を十分に明るく照らし出して目印となる建造物、地形などを確認し、現在地点や進むべき方向を的確に判断することはできない。また、放送を受信して災害状況に関する情報を取得することができるが、当該装置を所持する個人個人に対して、避難先への経路に関する情報を随時提供することはできない。そのため、避難すべき場所等が道順を良く知っている自宅等の近くにある場合には問題ないが、避難すべき場所等が通常は徒歩で行くことがない距離にあり、そこへ行くための道順を熟知していない場合には、懐中電灯の狭い照明範囲を頼りにその場所へ行き着くことは非常に困難である。
【００１１】
特許文献２に記載された多機能懐中電灯は、懐中電灯としての機能については前記の携帯用照明装置と同様の問題点を有している。また、拡声機能により他の人々に情報を伝達して誘導したり、警報機能により自分自身の救助を求めたりすることはできるが、避難先等への経路を指示する機能はない。そのため、前記の携帯用照明装置と同様に、避難すべき場所等が自宅等の近くにある場合には問題ないが、避難すべき場所等が遠距離にある場合には、当該懐中電灯を使用してその場所に行き着くことは非常に困難である。
【００１２】
特許文献３に記載された避難誘導システム及び避難誘導方法は、携帯電話機と基地局との通信によりアシストサーバから一定周期でアシストデータをダウンロードしているため、測位時に回線接続されていることが不可欠である。しかしながら、災害発生時には基地局が被害を受けて繋がらなくなったり、通信量の飛躍的な増加に伴って通信制限を受けて繋がりにくくなったりするため、最も重要な災害発生時に当該システムを利用することができなくなる。
【００１３】
そこで本考案は、停電が発生し真っ暗闇の状況であっても、携帯電話機によるアシストデータのダウンロードに依存することなく、正確かつ迅速に避難所や自宅等の目的地までの経路を表示することができ、また、移動の途中において正確な災害情報の入手が可能である避難路誘導器を提供することを目的としている。
【課題を解決するための手段】
【００１４】
上記の目的を達成するため、請求項１における考案は、電源部を内蔵したケース形状の器体にＬＥＤ又は電球を有する発光部とナビゲーション部とラジオ部を設けると共に、前記器体の上部外周面に避難所や自宅の目的地への避難路を誘導案内するための表示部を配設したことを特徴とする避難路誘導器である。
【００１５】
請求項２における考案は、電源部は一次電池、又は二次電池と該二次電池に充電するための手回し発電機と太陽電池アレイからなる避難路誘導器である。
【００１６】
請求項３における考案は、ナビゲーション部は、ＧＰＳ部で算出した現在位置及びデータメモリ部に記憶されている地図情報にのみ基づき、外部から情報を得ることなく目的地までの経路を算出する避難路誘導器である。
【００１７】
請求項４における考案は、ラジオ部は、振幅変調（ＡＭ）及び周波数変調（ＦＭ）によるラジオ放送を受信可能であり、セレクタによりどちらを受信するかの選択が行える避難路誘導器である。
【００１８】
請求項５における考案は、表示部は、バックライトを備えた液晶表示装置である避難路誘導器である。
【００１９】
請求項６における考案は、器体の外部に携帯電話機を着脱自在に付設した避難路誘導器である。
【考案の効果】
【００２０】
請求項１に係る考案によると、ＬＥＤ又は電球の照明部により暗闇の中であっても足元を照らして安全に歩行することはできると共に、ナビゲーション部により現在地点から目的地までの経路が計算され、器体の上部外周面の表示部に目的地への誘導案内が表示されるので、災害発生による停電時の夜間において周囲の目印となる建造物、地形などの確認が困難な状況であっても、前記誘導案内に従って歩行することにより、目的地へ安全に避難することができる。また、器体内部に設けられたラジオにより正確な災害情報を聴取し、デマ情報に惑わされることもない。
【００２１】
請求項２に係る考案によると、電源部に一次電池を使用した場合には電源部を小型かつ安価に製作することができる。また、電源部を二次電池と該二次電池に充電するための手回し発電機と太陽電池アレイにより構成した場合には、常日頃から太陽電池アレイにより二次電池を充電しておくことができるので、災害発生時に電池切れが発生するおそれがないと共に、二次電池に蓄えた電力が消費された場合であっても、手回し発電機により電力を発電、供給して避難路誘導器の使用を継続することができる。
【００２２】
請求項３に係る考案によると、ナビゲーション部はＧＰＳ部で算出した現在位置及びデータメモリ部に記憶されている地図情報にのみ基づき、外部から情報を得ることなく目的地までの経路を算出するので、災害発生時に携帯電話が使用不能な状況においても、独立して目的地までの経路を算出することができる。
【００２３】
請求項４に係る考案によると、ラジオ部はＡＭ又はＦＭによるラジオ放送を受信可能であり、選局機能によりどのラジオ放送を受信するか選択することができるので、種々のラジオ放送を適宜選択して受信し、正確な災害情報を取得して安全な避難の参考とすることができる。
【００２４】
請求項５に係る考案によると、表示部はバックライトを備えた液晶表示装置であるので、昼夜間を問わず液晶による誘導表示を確実に視認することができる。
【００２５】
請求項６に係る考案によると、器体の外部に携帯電話機を着脱自在に付設することができるので、避難にあたり携帯電話機を紛失するおそれがなく、必要に応じて迅速に家族、知人等の安否確認に使用できる。
【図面の簡単な説明】
【００２６】
【図１】本考案に係る避難路誘導器の構成を示す図である。
【図２】本考案に係る避難路誘導器の電源部の構成を示す図である。
【図３】本考案に係る避難路誘導器の一実施形態の斜視図である。
【図４】図３の反対側から見た斜視図である。
【図５】表示部の概念図であり、（ａ）入力画面の一例、（ｂ）誘導画面の一例、（ｃ）誘導画面の他の例である。
【図６】手回し発電機のハンドルの使用状況を説明する図である。
【図７】本考案に係る避難路誘導器の他の実施形態の斜視図である。
【考案を実施するための形態】
【００２７】
本考案における一実施形態を図面に従って詳述する。図１は、本考案に係る避難路誘導器の構成を示す図であり、図３及び図４は本考案に係る避難路誘導器の一実施形態の斜視図を示す。
【００２８】
図３及び図４に示すように、避難路誘導器１は、器体２に電源部３、発光部４、ナビゲーション部５及びラジオ部６を収容し、器体２の上部外周部に表示部７を設けて構成されている。
【００２９】
また、器体２には、図３及び図４に示すように、上部に持手部８が一体に形成されている。
【００３０】
電源部３は、図２に示すように、手回し発電機９、太陽電池アレイ１０、整流フィルタ１１及び二次電池１２により構成されており、発電と二次電池１２への充電が可能であり、発光部４等に電力を供給する。
【００３１】
発光部４は、図３及び図４に示すように、器体２の前部に配されており、前面に透明材料からなるレンズ１３が設けられ、このレンズ１３の奥部には凹形状に形成されると共に複数の凹部１４を設けた反射板１５が配設され、各凹部１４にはＬＥＤ（Light Emitting Diode）１６が設けられている。ＬＥＤ１６は、電源部３から直流電力の供給を受けて発光する。
【００３２】
ナビゲーション部５は、図１に示すように、操作部１７、ＧＰＳ部１８、方位検出部１９、データメモリ部２０及び制御部２１から構成され、電源部３から直流電力の供給を受けて作動し、現在位置から目的地までの避難路等を計算する。
【００３３】
ラジオ部６は、ＡＭ又はＦＭによるラジオ放送を選択して受信可能であり、電源部３から直流電力の供給を受けて作動する。
【００３４】
表示部７は、図示しないバックライトを備えた液晶表示装置であり、ナビゲーション部５で計算した現在位置から目的地までの避難路等の情報を表示する。また、表示部７の液晶表示装置には図示しないタッチ式パネルを組み合わせた部分があり、この部分は操作部１７としても機能している。
【００３５】
電源部３に備えられた手回し発電機９は人力により駆動される交流発電機であり、交流電力を発電する。整流フィルタ１１は複数のダイオード、電気抵抗及びコンデンサにより構成されており、手回し発電機９で発電された交流電力を直流電力に変換すると共に、電圧を安定させて二次電池１２に充電する。太陽電池アレイ１０は、太陽エネルギを直流電力に変換し、二次電池１２に充電する。二次電池１２は、手回し発電機９及び太陽電池アレイ１０から供給された電力を蓄電し、発光部４等に直流電力を供給する。二次電池１２には、リチウム二次電池、ニッケル水素電池などを使用することができる。
【００３６】
なお、本実施例においては、手回し発電機９は交流発電型を使用したが、手回し発電機９は交流発電型に限られるものではなく、直流発電型を使用することもできる。この場合には交流電力を直流電力に変換する回路を使用する必要はない。
【００３７】
また、電源部３には、マンガン乾電池、アルカリ乾電池及びリチウム一次電池などの一次電池を使用することもできる。この場合には、電池に再充電することができないので、手回し発電機や整流回路を設ける必要がなく、電源部３を簡単に構成することができる利点がある反面、避難路誘導器１の使用可能時間が電池の容量により制限されると共に、災害発生時に電池が自己放電していて使用できないおそれがあるという欠点もある。
【００３８】
ナビゲーション部５は、作動スイッチ２２をＯＮ位置にすると電源部３から直流電力が供給され、作動を開始する。先ず、表示部７の液晶表示装置に組み合わされたタッチ式パネルによる操作部１７から目的地を入力する。この時、ＧＰＳ部１８は、ＧＰＳアンテナ２３によりＧＰＳ衛星から送信されるＧＰＳ情報を受信し、制御部２１へ伝達する。また、方位検出部１９は、地磁気センサを使用した図示しない電子コンパスにより避難路誘導器１の方位情報を計測し、制御部２１へ伝達する。
【００３９】
制御部２１は、前記ＧＰＳ情報に基づいて現在位置を計算すると共に、データメモリ部２０から地図情報を取得する。その後、制御部２１は、計算した現在位置、方位情報、入力された目的地及び記憶されている地図情報に基づき、現在位置から目的地までの避難路を計算すると共に、進行方向が変わる地点までの距離を算出し、現在位置近傍の地図情報、現時点での進行方向、進路を変更する地点までの距離及び進路を変更する方向に関する情報を表示部７に送る。
【００４０】
前記制御部２１による現在位置の計算、地図情報の取得及び経路計算等は、目的地を入力した後、作動スイッチ２２をＯＦＦ位置にするまでの間、一定の時間的間隔で繰り返され、その都度アップデートされた情報が表示部７に送られる。なお、本避難路誘導器１は徒歩での使用を前提としているため、自動車で使用するカーナビと比較すると繰返し計算周期を十分に長くすることができるので、ナビゲーション部５を構成する部品がカーナビで使用する部品ほど高性能である必要はなく、製造コストをカーナビより安価に抑えることができる。
【００４１】
また、避難路誘導器１は徒歩での使用が前提であり、誘導すべき範囲は自宅や職場等の周辺数十キロ以内であることを考慮すると、データメモリ部２０に日本全国の地図を記憶させておく必要はなく、使用者の居住地に隣接する都道府県を含む範囲程度に限定した地図情報をメモリーカード等の記憶媒体に記憶させておけば十分に実用に適する。このようにデータメモリ部２０を簡易化することにより、装置の小型、軽量化を図ることができると共に、安価に製造することができる。本実施例では、ＳＤＨＣメモリーカードに地図情報を記憶させて使用した。
【００４２】
図３に示すように、避難路誘導器１を使用するにあたっては、器体２の側面に設けたメモリカードスロット２４に地図情報を記憶させたメモリーカードを挿入しておくと共に、避難路誘導器１を可能であれば太陽光が当たる明るい場所に置いて太陽電池アレイ１０で太陽エネルギを直流電力に変換し、内部の二次電池１２を十分に充電しておく。
【００４３】
照明を使用するためには、持手部８の上面に設けた照明用スイッチ２５をＯＮ位置にすると、電源部３より直流電力が供給され、ＬＥＤ１６が発光する。
【００４４】
避難等を行うために表示部７に避難路情報等を表示させるためには、器体２の上部外周面の表示部７と前記照明用スイッチ２５とに間に配した作動スイッチ２２をＯＮ位置にすると、電源部３から直流電力が供給され、ナビゲーション部５が作動を開始する。
【００４５】
先ず、表示部７には、図５（ａ）に示す入力画面２６が表示される。この画面下段２７に表示される操作部１７の入力キー表示２８を操作して、目的地を入力する。この時、複数の目的地の候補を事前に入力しておけば、画面上段２９に表示されるそれらの中から一つを指定するだけで済み、急を要する避難時に入力で慌てなくて済むので好都合である。目的地の入力が完了した後、操作部１７の誘導開始キー３０を押すと誘導が開始される。
【００４６】
誘導が開始されると、表示部７には、図５（ｂ）に示す誘導画面３１が表示される。誘導画面３１の下段３２には、現在位置周辺の地図３３と避難路誘導器１が向いている水平面上の方向示すマーク３４が表示される。また、誘導画面３１の上段３５には、次に進路を変更する方向と進路を変更する地点までの距離が表示される。
【００４７】
なお、本避難路誘導器１が使用される状況が、災害が発生して広域に停電している夜間であることを考慮すると、例え現在位置周辺の地図が表示されたとしても、周囲の街並みと表示された地図とを照合することは不可能である。そのため、図７（ｃ）に示すように、誘導画面３１の下段３２には被誘導者が進行すべき方向を指示する矢印３６を表示することも有効である。この場合には、被誘導者は常に矢印３６が誘導画面３１の真上方向を向くように歩行することにより、最終的には目的地に到達することができる。
【００４８】
避難の途中でラジオ部６を使用して最新の災害情報等を聞くためには、器体２の側面にあるＯＮ／ＯＦＦスイッチ兼用音量調節つまみ３７をＯＮ位置にすると、電源部３からラジオ部６へ直流電力が供給させる。放送の選局は、ＯＮ／ＯＦＦスイッチ兼用音量調節つまみ３７の上部にある選局つまみ３８を操作することにより行う。また、つまみ３７及びつまみ３８の前部にあるセレクタ３９により、ＡＭ又はＦＭのラジオ放送を選択して受信することができる。ラジオの音声は、セレクタ３９の前部に位置するスピーカ４０により聴取することができる。
【００４９】
二次電池１２の充電量が十分でないために避難路誘導器１が作動しなかったり、作動中に二次電池１２の充電量が低下して照明が暗くなったりした場合には、図４に示すように、器体２のつまみ３７、３８が設けられた側面とは反対側の側面に回転自在に設けられたハンドル４１を手回しすることにより、内部の手回し発電機９を回転させて発電することができる。
【００５０】
ハンドル４１は、使用しないときには、図４に示すように器体２の側面に沿って折りたたまれている。ハンドル４１の基端部は、図示しないピンを介して器体２の側面に設けられた回転部４２に接続されているので、図６に示すように、ハンドル４１を引き起こして反転させることが可能である。手回し発電する際には、ハンドル４１を引き起こして反転させ、ハンドル４１の先端部にピン４３により軸着された回転つまみ４４を摘まんで回転させる。
【００５１】
器体２の側面には収納穴４５が形成されているので、手回し発電を行わない場合には、ハンドル４１を使用時とは逆に反転させ、回転つまみ４４を収納穴４５に収納することにより、ハンドル４１を器体２の側面に沿って折りたたむことができる。
【００５２】
また、器体２の外部には、例えば図６に示すように、取付け手段を介して一般的な携帯電話機４６又は専用の携帯電話機を着脱自在に取付けることができるので、避難にあたり携帯電話機を紛失するおそれがなく、必要に応じて迅速に家族、知人等の安否確認に使用できる。また、器体２の外部に携帯電話機４６を取付けた状態で、図示しない接続コードを介して携帯電話機４６と電源部３を接続すれば、ハンドル４１を回転させて携帯電話機４６内の充電池を充電することもできる。
【００５３】
本考案に係る避難路誘導器の他の実施形態の斜視図を図７示す。この避難路誘導器４７は、常時鞄等に収納して携行するのに適しており、バイブルサイズのシステム手帳に近い形状及び大きさに形成されている。
【００５４】
図７に示すように、避難路誘導器４７の上面には表示部７、ナビゲーション部５の作動スイッチ２２、ラジオのスピーカ４０、ＡＭ又はＦＭ選択用のセレクタ３９、ＯＮ／ＯＦＦスイッチ兼用音量調節つまみ３７及び選局つまみ３８が設けられている。また。前面部にはレンズ４８、反射板４９およびＬＥＤ１６により構成される発光部４が設けられ、側面には照明用スイッチ２５及びメモリカードスロット２４が設けられている。
【００５５】
避難路誘導器４７の構成は基本的には図１に示す構成と同様であるが、本実施形態は常時携行できることを主眼としており、小型化及び軽量化するため、電源は一次乾電池により供給し、電源部３に手回し発電機等は備えていない。使用する一次電池には、使用中に充電ができないために長持ちすること、及び保管中に自己放電が少ないことが求められるので、これらの条件を満たすアルカリ乾電池が適している。
【００５６】
避難路誘導器４７の使用方法は、使用中に手回し発電機による発電及び充電ができないことを除けば、避難路誘導器１と同様である。
【００５７】
以上説明したように、本考案に係る避難路誘導器を使用すると、災害が発生し、広域に停電している夜間であっても、歩行する足元を明るく照らしつつ、避難路誘導器の表示部には避難経路が表示され、最新の災害情報をラジオにより聴取しつつ、避難所や自宅等の目的地まで安全に避難することができるので、その効果は非常に大きなものがある。
【符号の説明】
【００５８】
１、４７  避難路誘導器
３  電源部
４  発光部
５  ナビゲーション部
６  ラジオ部
７  表示部
９  手回し発電機
１０  太陽電池アレイ
１２  二次電池
１６  ＬＥＤ
１７  操作部
１８  ＧＰＳ部
３１  誘導画面
４６  携帯電話機
【図１】
0003173691.tif 000003
【図２】
0003173691.tif 000004
【図３】
0003173691.tif 000005
【図４】
0003173691.tif 000006
【図５】
0003173691.tif 000007
【図６】
0003173691.tif 000008
【図７】
0003173691.tif 000009